(57)【特許請求の範囲】
【請求項１】
シューズのソール構造体であって、
上方に配置され、少なくとも踵部を有する上部プレートと、
前記上部プレートの下方において、前後方向に並設されるとともに、各々上方に開口部を有しかつ前後方向に扁平な略Ｃ字形状を有し、その開口端部が前記上部プレートにそれぞれ直接固着された第１および第２のＣ字状部と、
前記第１および第２のＣ字状部間に配設され、前記第１および第２のＣ字状部を連結する連結部と、
を備えたシューズのソール構造体。
【請求項２】
請求項１において、
前記第１、第２のＣ字状部が、前記開口部の下方に形成されかつ前記開口部と対向するとともに、下方に凸状に湾曲する下凸状湾曲面と、前記下凸状湾曲面から前記上部プレートに向かって延びるとともに、斜め上方に凸状に湾曲する斜上凸状湾曲面とをそれぞれ有している、
ことを特徴とするシューズのソール構造体。
【請求項３】
請求項２において、
前記下凸状湾曲面と前記斜上凸状湾曲面とが、前後方向に向かって凸状に湾曲する前後凸状湾曲面を介して連結されている、
ことを特徴とするシューズのソール構造体。
【請求項４】
請求項２において、
前記第１、第２のＣ字状部のうち前方に配置されたＣ字状部の前記下凸状湾曲面が、当該Ｃ字状部を越えてさらに前方に延設されるとともに、その前端が前記上部プレートの下面に固着されている、
ことを特徴とするシューズのソール構造体。
【請求項５】
請求項２において、
前記連結部が、前記第１、第２のＣ字状部の前記各下凸状湾曲面の各端部を連結している、
ことを特徴とするシューズのソール構造体。
【請求項６】
請求項１において、
前記上部プレートに固着される前記第１、第２のＣ字状部の各開口端部が前記上部プレートに沿って均等間隔に配置されている、
ことを特徴とするシューズのソール構造体。
【請求項７】
請求項１において、
前記上部プレートの前記踵部がその側縁部から上方に張り出す巻上げ部を有しており、前記第１、第２のＣ字状部の側縁部が前記巻上げ部に沿って上方に延びる延設部を有している、
ことを特徴とするシューズのソール構造体。
【請求項８】
請求項１において、
前記連結部が、前記第１、第２のＣ字状部の前後方向の最突出点を結ぶ最突出ラインの下方に配置されている、
ことを特徴とするシューズのソール構造体。
【請求項９】
請求項１において、
前記連結部が、前記第１、第２のＣ字状部の前後方向の最突出点を結ぶ最突出ラインの上方に配置されている、
ことを特徴とするシューズのソール構造体。
【請求項１０】
請求項１、８または９において、
前記連結部が、上凸状の湾曲形状を有している、
ことを特徴とするシューズのソール構造体。
【請求項１１】
請求項１、８、９において、
前記連結部が、上凸状の屈曲形状を有している、
ことを特徴とするシューズのソール構造体。
【請求項１２】
請求項１において、
前記上部プレート、各Ｃ字状部および連結部が樹脂で一体成形されている、
ことを特徴とするシューズのソール構造体。
【請求項１３】
請求項１において、
前記連結部の上方に空隙が形成されており、前記空隙内にクッション材が充填されている、
ことを特徴とするシューズのソール構造体。
【請求項１４】
請求項１において、
前記Ｃ字状部の前記開口部と対向する下凸状の湾曲面の下部には、クリーツが設けられている、
ことを特徴とするシューズのソール構造体。
【請求項１５】
請求項１において、
前記連結部の下部には、クリーツが設けられている、
ことを特徴とするシューズのソール構造体。
【請求項１６】
請求項１５において、
前記クリーツが、台座を介して設けられている、
ことを特徴とするシューズのソール構造体。
【発明の詳細な説明】
【技術分野】
【０００１】
本発明は、シューズ用ソール構造体に関し、詳細には、圧縮変形を容易にしてクッション性を向上させるとともに、接地面からの突上げ力を低減させるための構造の改良に関する。
【背景技術】
【０００２】
ソール構造体として、たとえば特開平１１−２３５２０２号公報に示すものが本件出願人により提案されている。このソール構造体は、複数の帯状波形シートを並設するとともに、隣り合う各帯状波形シートを連結部により連結することにより構成されている。
【０００３】
また、特開２００３−３３９４０５号公報には、上下方向に一定の空隙を介して対向配置された上下部プレートと、上下部プレート間に配設されるとともに、その上側凸面が上部プレートに固着されかつその下側凸面が下部プレートに固着された波形プレートとからなるソール構造体が示されている。
【０００４】
さらに、国際公開第２００６／１２９８３７号パンフレットには、上部プレートと、その下方に配設され、上部プレートとの間で空隙を形成する２つの膨出部を有する波状の下部プレートと、各膨出部間に形成された上凸部分を上部プレートに連結する弾性ブロックとを備えたソール構造体が示されている。
【特許文献１】特開平１１−２３５２０２号公報（図１参照）
【特許文献２】特開２００３−３３９４０５号公報（図２参照）
【特許文献３】国際公開第２００６／１２９８３７号パンフレット（第１Ａ図参照）
【発明の開示】
【発明が解決しようとする課題】
【０００５】
上述した特開平１１−２３５２０２号公報に示すソール構造体においては、シューズの着地時には、各帯状波形シートの波形状部分が扁平となるように圧縮変形するとともに、この変形時に各波形状部分によって捩じられる連結部がトーションバーとして作用することにより、各帯状波形シートの波形状部分の変形と相俟って衝撃荷重が吸収される。
【０００６】
しかしながら、この場合には、隣り合う各帯状波形シートが連結部により連結されていることにより、各帯状波形シートの波形状部分の圧縮変形量が規制されている。
【０００７】
また、上記特開２００３−３３９４０５号公報に示すソール構造体においては、シューズの着地時には、波形プレートの各波形状部分が扁平となるように圧縮変形することで、上下部プレート間の空隙がクッションホールとして作用して、衝撃荷重が吸収される。
【０００８】
しかしながら、この場合には、波形プレートの上側凸面が上部プレートに固着されかつ下側凸面が下部プレートに固着されていることで、波形プレートの上側および下側凸面が上下部プレートで拘束されていることにより、波形プレートの波形状部分の圧縮変形量が規制されている。
【０００９】
さらに、上記国際公開第２００６／１２９８３７号パンフレットに示すソール構造体においては、シューズの着地時には、下部プレートの各膨出部が扁平となるように圧縮変形することで、上下部プレート間の空隙がクッションホールとして作用して、衝撃荷重が吸収される。
【００１０】
この場合、上述した２つの公報に記載のソール構造体に比べると、下部プレートの各膨出部間の上凸部分が弾性ブロックを介して上部プレートに連結されているので、各膨出部の圧縮変形が比較的容易であり、クッション性が向上している。
【００１１】
しかしながら、この場合には、下部プレートは、弾性ブロックならびにその前方および後方の連結部という３個所の連結部分を介して、上部プレートに連結されており、シューズの着地時に接地面から作用する突上げ力は、下部プレートからこれら３個所の連結部分を介して上部プレートに伝播される。
【００１２】
その一方、シューズの着地時に着用者の足に作用する接地面からの突上げ力をより緩和したいとする業界の要請がある。
【００１３】
本発明は、このような従来の実情に鑑みてなされたもので、本発明が解決しようとする課題は、圧縮変形を容易にしてクッション性を向上できるとともに、接地面からの突上げ力を緩和できるシューズのソール構造体を提供しようとしている。
【課題を解決するための手段】
【００１４】
請求項１の発明に係るシューズのソール構造体は、上方に配置され、少なくとも踵部を有する上部プレートと、上部プレートの下方において、前後方向に並設されるとともに、各々上方に開口部を有しかつ前後方向に扁平な略Ｃ字形状を有し、その開口端部が上部プレートにそれぞれ直接固着された第１および第２のＣ字状部と、第１および第２のＣ字状部間に配設されるとともに、第１および第２のＣ字状部を連結する連結部とを備えている。
【００１５】
請求項１の発明によれば、シューズの着地時には、第１、第２のＣ字状部がさらに扁平となるように圧縮変形することにより、衝撃荷重が吸収される。なお、このとき、各Ｃ字状部が連結部を介して連結されていることにより、各Ｃ字状部の圧縮変形時には、各Ｃ字状部が前後方向に過度に振れるのが防止されている。また、この場合、各Ｃ字状部が上部プレートに固着されているものの、各Ｃ字状部の圧縮変形時には、各Ｃ字状部がそのＣ字形状を活かして、Ｃ字形状全体が上下方向に圧縮されるように変形するので、圧縮変形を容易に行え、クッション性を向上できる。
【００１６】
このように、各Ｃ字状部が圧縮変形を容易に行える構造を有していることにより、各Ｃ字状部として剛性の高いもの（例えばヤング率の高い材料）を用いてもクッション性が確保されるようになるので、クッション性と耐久性の双方を両立させることが可能になる。
【００１７】
しかも、この場合には、第１、第２のＣ字状部がそれぞれの開口端部を介して上部プレートに固着されていることで、第１、第２のＣ字状部が４個所の連結部分を介して上部プレートに連結されている。これにより、シューズの着地時には、接地面からの突上げ力が、これら４個所の連結部分を介して上部プレートに伝播されることになり、その結果、着用者の足に対する突上げ力を緩和できる。
【００１８】
請求項２の発明では、請求項１において、第１、第２のＣ字状部が、開口部の下方に形成されかつ開口部と対向するとともに、下方に凸状に湾曲する下凸状湾曲面と、下凸状湾曲面から上部プレートに向かって延びるとともに、斜め上方に凸状に湾曲する斜上凸状湾曲面とをそれぞれ有している。
【００１９】
この場合、シューズの着地時には、下凸状湾曲面が扁平となるように圧縮変形するとともに、斜上凸状湾曲面が扁平または平坦となるように、あるいは斜め下凸状に湾曲するように圧縮変形するので、第１、第２のＣ字状部の圧縮変形がさらに容易になって、クッション性をさらに向上できる。
【００２０】
請求項３の発明では、請求項２において、下凸状湾曲面と斜上凸状湾曲面とが、前後方向に向かって凸状に湾曲する前後凸状湾曲面を介して連結されている。
【００２１】
この場合、シューズの着地時には、前後凸状湾曲面がさらに湾曲するように圧縮変形するので、第１、第２のＣ字状部の圧縮変形が一層容易になって、クッション性を一層向上できる。
【００２２】
請求項４の発明では、請求項２において、第１、第２のＣ字状部のうち前方に配置されたＣ字状部の下凸状湾曲面が、当該Ｃ字状部を越えてさらに前方に延設されるとともに、その前端が上部プレートの下面に固着されている。
【００２３】
この場合、前方のＣ字状部の圧縮変形時には、Ｃ字状部の延設部分によって当該Ｃ字状部が前方に過度に振れるのを防止できる。
【００２４】
請求項５の発明では、請求項２において、連結部が第１、第２のＣ字状部の前記各下凸状湾曲面の各端部を連結している。
【００２５】
この場合には、各Ｃ字状部の各下凸状湾曲面の圧縮変形が連結部によって阻害されることなく、各下凸状湾曲面の圧縮変形を円滑に行える。
【００２６】
請求項６の発明では、請求項１において、上部プレートに固着される第１、第２のＣ字状部の各開口端部が上部プレートに沿って均等間隔に配置されている。
【００２７】
この場合には、第１、第２のＣ字状部と上部プレートとの４個所の連結部分の間隔が上部プレートに沿って均等に配置されるので、シューズの着地時には、接地面からの突上げ力が、これら４個所の連結部分を介して上部プレートに均等に分配されて伝播されることになるので、着用者の足に対する不快な突上げ感をさらに低減できる。
【００２８】
請求項７の発明では、請求項１において、上部プレートの踵部がその側縁部から上方に張り出す巻上げ部を有しており、第１、第２のＣ字状部の側縁部が巻上げ部に沿って上方に延びる延設部を有している。
【００２９】
この場合、各Ｃ字状部は、上方への延設部を介して上部プレートの踵部の巻上げ部に固着されることになるので、この延設部によって左右方向のスタビライザー効果を発揮できる。
【００３０】
請求項８の発明では、請求項１において、連結部が、第１、第２のＣ字状部の前後方向の最突出点を結ぶ最突出ラインの下方に配置されている。
【００３１】
この場合には、各Ｃ字状部の圧縮変形時に、各Ｃ字状部の最突出ラインから下方部分の圧縮変形量を抑制しつつ、各Ｃ字状部の最突出ラインから上方部分の圧縮変形を促進することにより、各Ｃ字状部全体の圧縮変形量を制御できる。
【００３２】
請求項９の発明では、請求項１において、連結部が、第１、第２のＣ字状部の前後方向の最突出点を結ぶ最突出ラインの上方に配置されている。
【００３３】
この場合には、各Ｃ字状部の圧縮変形時に、各Ｃ字状部の最突出ラインから下方部分の圧縮変形を促進しつつ、各Ｃ字状部の最突出ラインから上方部分の圧縮変形量を抑制することにより、各Ｃ字状部全体の圧縮変形量を制御できる。
【００３４】
請求項１０の発明では、請求項１、８または９において、連結部が上凸状の湾曲形状を有している。
【００３５】
この場合には、第１、第２のＣ字状部および連結部が、全体として前後方向に波状に形成されることになるので、ソール構造体全体の圧縮変形がより滑らかに行われるようになって、クッション性を向上できる。
【００３６】
この場合において、さらに連結部が、各Ｃ字状部の前後方向の最突出点を結ぶ最突出ラインの上方に配置されている場合には、各Ｃ字状部の圧縮変形時に、各Ｃ字状部の最突出ラインから下方部分の圧縮変形を促進でき、これにより、ソール構造体全体の圧縮変形量を増大できる。
【００３７】
請求項１１の発明では、請求項１、８、９において、連結部が上凸状の屈曲形状を有している。
【００３８】
この場合には、連結部が上凸状の屈曲形状を有しており、各Ｃ字状部の圧縮変形時には、連結部がさらに屈曲度合いを増すように屈曲変形するので、ソール構造体全体の圧縮変形量をさらに増大でき、クッション性を向上できる。
【００３９】
請求項１２の発明では、請求項１において、上部プレート、各Ｃ字状部および連結部が樹脂で一体成形されている。
【００４０】
この場合には、ソール構造体の製作が容易になってコストを低減できるとともに、各Ｃ字状部の繰り返し変形にともなう、各Ｃ字状部と上部プレートおよび連結部との固着または連結部分の剥がれを防止できる。
【００４１】
請求項１３の発明では、請求項１において、連結部の上方に空隙が形成されており、空隙内にクッション材が充填されている。
【００４２】
この場合には、クッション材の弾性により、各Ｃ字状部および連結部の圧縮変形量を制御でき、クッション性を調整できる。
【００４３】
請求項１４の発明では、請求項１において、Ｃ字状部の開口部と対向する下凸状の湾曲面の下部にクリーツが設けられている。
【００４４】
この場合、クリーツの接地時には、クリーツを介して第１、第２のＣ字状部が扁平となるように圧縮変形することにより、接地面からの突上げ力を緩和できる。
【００４５】
請求項１５の発明では、請求項１において、連結部の下部にクリーツが設けられている。
【００４６】
この場合、シューズの着地時には、クリーツが接地した後、第１、第２のＣ字状部が接地して扁平となるように圧縮変形することにより、各Ｃ字状部の下面からのクリーツ突出量が増加して、クリーツによるグリップ力が増す。その一方、各Ｃ字状部が接地面から離れる際には、各Ｃ字状部の下面が元の位置に戻ることにより、各Ｃ字状部の下面からのクリーツ突出量が減少し、これにより、クリーツの接地面からの抜けが良くなる。
【００４７】
請求項１６の発明では、請求項１５において、クリーツが台座を介して設けられている。
【００４８】
この場合には、クリーツが取り付けられた連結部の剛性が増すことで、連結部の上下方向の変形を抑制できるので、接地面に対するクリーツのトラクションを効果的に発揮させることができる。また、この場合、接地面に対するクリーツの突刺し量を台座の上下位置によって調整できる。
【発明の効果】
【００４９】
以上のように、本発明に係るソール構造体によれば、上部プレートと、その下方に配設され、上部プレートに直接固着された第１、第２のＣ字状部と、これらを連結する連結部とを設けたので、シューズの着地時には、各Ｃ字状部が上下方向に扁平となるように圧縮変形されることで衝撃荷重が吸収されるとともに、その圧縮変形時には、各Ｃ字状部のＣ字形状全体が上下に圧縮されるように変形するので、圧縮変形を容易に行え、クッション性を向上できる。しかも、この場合には、各Ｃ字状部がそれぞれの開口端部を介して上部プレートに固着されていることで、各Ｃ字状部が４個所の連結部分を介して上部プレートに連結されているので、シューズの着地時には、接地面からの突上げ力がこれら４個所の連結部分を介して上部プレートに伝播されることになり、これにより、着用者の足に対する突上げ力を緩和できる。
【発明を実施するための最良の形態】
【００５０】
以下、本発明の実施例を添付図面に基づいて説明する。
〔第１の実施例〕
図１ないし図３は、本発明の第１の実施例によるシューズ用ソール構造体を説明するための図であって、図１はソール構造体の側面図、図２は図１のII-II線断面図、図３は図１のIII-III線断面図、図４（ａ）は図１のソール構造体の側面概略図、同図（ｂ）は（ａ）のソール構造体の圧縮変形後の状態を示す図である。なお、これらの図において、同一符号は同一または相当部分を示している。また、ここでは、スパイクレスタイプのゴルフシューズを例にとって説明する。
【００５１】
図１に示すように、このソール構造体１は、上方に配置され、踵部を有するとともに、シューズのアッパーＵの下部が固着される上部プレート２と、上部プレート２の下方において前後方向に並設されるとともに、各々上方に開口部３Ａ、４Ａを有しかつ前後方向に扁平な略Ｃ字形状を有し、その開口端部が上部プレート２にそれぞれ直接固着された第１および第２のＣ字状部３、４と、第１、第２のＣ字状部３、４間に配設され、第１、第２のＣ字状部３、４を連結する連結部５とを備えている。
【００５２】
上部プレート２は、ベース面２０の左右両側縁部および後端縁部から上方に立ち上がる巻上げ部２０ａを有しており、上部プレート２の踵部はヒールカップ状に形成されている（図２および図３参照）。また、第１、第２のＣ字状部３、４の各側縁部は、巻上げ部２０ａに沿って上方に延びる延設部３ａ、４ａを有している（図２参照）。図１に示す側面図では、これら延設部３ａ、４ａの存在により、扁平な略Ｃ字状の各Ｃ字状部３、４の上側開口部が閉じられることにより、各Ｃ字状部３、４が略楕円状または略紡錘状に見えている。
【００５３】
上部プレート２、第１および第２のＣ字状部３、４、ならびに連結部５は、樹脂により一体成形されている。使用する樹脂材料としては、例えば、熱可塑性ポリウレタン（ＴＰＵ）やポリアミドエラストマー（ＰＡＥ）等の熱可塑性材料の他、エポキシ樹脂や不飽和ポリエステル樹脂等の熱硬化性材料も用いられる。また、エチレン−酢酸ビニル共重合体（ＥＶＡ）やラバー等を用いて一体成形することも可能である。
【００５４】
ここで、図示の簡略化のために、第１、第２のＣ字状部３、４から延設部３ａ、４ａを取り除いたものを図４（ａ）に示す。同図に示すように、第１、第２のＣ字状部３、４は、開口部３Ａ、４Ａの下方に形成されかつ開口部３Ａ、４Ａと対向するとともに、下方に凸状に湾曲する下凸状湾曲面３０、４０と、下凸状湾曲面３０、４０から上部プレート２に向かって延びるとともに、斜め上方に凸状に湾曲する斜上凸状湾曲面３１，４１とをそれぞれ有している。
【００５５】
好ましくは、下凸状湾曲面３０、４０と斜上凸状湾曲面３１、４１との間には、前後方向に向かって凸状に湾曲する前後凸状湾曲面３２、４２がそれぞれ配設されており、これら前後凸状湾曲面３２、４２により、下凸状湾曲面３０、４０および斜上凸状湾曲面３１、４１が滑らかに連結されている。
【００５６】
また、第１、第２のＣ字状部３、４の内部には、それぞれ空隙３Ｃ、４Ｃが形成されており、連結部５と上部プレート２との間には、空隙５Ｃが形成されている。
【００５７】
第１、第２のＣ字状部３、４のうち前方に配置された第２のＣ字状部４の下凸状湾曲面４０は、図１に示すように、当該Ｃ字状部を越えてさらに前方に延設されるとともに、その延設部４４の前端は、上部プレート２の下面に固着されている。また、上部プレート２の前端は、前足部側のソール１０に連結されている。
【００５８】
連結部５は、第１、第２のＣ字状部３、４の各下凸状湾曲面３０、４０の各端部を連結しており、図４に明確に示されているように、ここでは、上凸状の湾曲形状を有している。また、連結部５は、第１、第２のＣ字状部３、４の前後方向の最突出点を結ぶ最突出ラインＬの下方に配置されている（図４（ａ）参照）。
【００５９】
次に、本実施例の作用効果について説明する。
【００６０】
シューズの着地時において、ソール構造体１に衝撃荷重が作用すると、図４（ｂ）に示すように、第１、第２のＣ字状部３、４の下凸状湾曲面３０、４０がそれぞれ扁平となるように圧縮変形するとともに、斜上凸状湾曲面３１、４１が扁平または平坦となるように、あるいは斜め下凸状に湾曲するように圧縮変形する。さらに、前後凸状湾曲面３２、４２がより湾曲するように（つまり屈曲度合いを増すように）圧縮変形する。これにより、各Ｃ字状部３、４全体が扁平となるように圧縮変形して、衝撃荷重が吸収される。
【００６１】
この場合、連結部５が各Ｃ字状部３、４の各下凸状湾曲面３０、４０の各端部を連結しているので、各Ｃ字状部３、４の各下凸状湾曲面３０、４０の圧縮変形が連結部５によって阻害されることなく、各下凸状湾曲面３０、４０の圧縮変形が円滑に行われる。また、連結部５が、各Ｃ字状部３、４の前後方向の最突出点を結ぶ最突出ラインＬの下方に配置されているので、各Ｃ字状部３、４の圧縮変形時に、各Ｃ字状部３、４の最突出ラインＬから下方部分の圧縮変形量を抑制しつつ、各Ｃ字状部３、４の最突出ラインＬから上方部分の圧縮変形を促進している。さらに、連結部５が上凸状の湾曲形状を有しているので、各Ｃ字状部３、４および連結部５が、全体として前後方向に波状に形成されることになるので、ソール構造体全体の圧縮変形がより滑らかに行われるようになる。
【００６２】
この場合、各Ｃ字状部３、４の圧縮変形時には、各Ｃ字状部３、４が連結部５を介して連結されていることにより、各Ｃ字状部３、４が前後方向（図４（ｂ）左右方向）に過度に振れるのが防止されている。また、各Ｃ字状部３、４のうち前方に配置された第２のＣ字状部４の下凸状湾曲面４０が、当該Ｃ字状部を越えてさらに前方に延設され、その延設部分４４の前端が上部プレート２の下面に固着されているので（図１参照）、第２のＣ字状部４の圧縮変形時には、延設部分４４によって当該Ｃ字状部４が前方に過度に振れるのを防止できる。
【００６３】
この場合には、各Ｃ字状部３、４の開口部３Ａ、４Ａ端部が上部プレート２に固着されているものの、各Ｃ字状部３、４の圧縮変形時には、各Ｃ字状部３、４がそのＣ字形状を活かして、Ｃ字形状全体が上下方向に圧縮されるように変形するので、圧縮変形を容易に行え、クッション性を向上できる。
【００６４】
このように、各Ｃ字状部３、４が圧縮変形を容易に行える構造を有していることにより、各Ｃ字状部３、４として剛性の高いもの（例えばヤング率の高い材料）を用いてもクッション性が確保されるようになるので、クッション性と耐久性の双方を両立させることが可能になる。
【００６５】
しかも、この場合には、第１、第２のＣ字状部３、４がそれぞれの開口端部を介して上部プレート２に固着されていることで、第１、第２のＣ字状部３、４が４個所の連結部分を介して上部プレート２に連結されている。これにより、シューズの着地時には、接地面からの突上げ力が、これら４個所の連結部分を介して上部プレート２に伝播されることになり、その結果、着用者の足に対する突上げ力を緩和できる。
【００６６】
また、本実施例では、各Ｃ字状部３、４が、上方への延設部３ａ、４ａを介して上部プレート２の踵部の巻上げ部２０ａに固着されているので、この延設部３ａ、４ａによって左右方向のスタビライザー効果が発揮されている。
【００６７】
さらに、本実施例では、上部プレート２、各Ｃ字状部３、４および連結部５が樹脂で一体成形されているので、ソール構造体１の製作が容易になってコストを低減できるとともに、各Ｃ字状部３、４の繰り返し変形にともなう、各Ｃ字状部３、４と上部プレート２および連結部５との固着または連結部分の剥がれを防止できる。
【００６８】
〔第２の実施例〕
前記実施例では、上部プレート２の左右両側縁部に巻上げ部２０ａが設けられた例を示したが、本発明は、上部プレート２が巻上げ部２０ａを有していないものにも同様に適用可能である。
【００６９】
図５は、本発明の第２の実施例によるソール構造体を示しており、同図（ａ）はソール構造体の側面概略図、（ｂ）はソール構造体の圧縮変形後の状態を示す図である。これらの図において、前記第１の実施例と同一符号は、同一または相当部分を示している。
【００７０】
この第２の実施例は、上部プレート２が巻上げ部２０ａを有していない点を除いて、前記第１の実施例と同様である。なお、この場合、第１、第２のＣ字状部３、４に延設部が設けられないことにより、各Ｃ字状部３、４を側面方向から見たとき、各Ｃ字状部３、４が略Ｃ字形状に見えている。
【００７１】
この場合には、前記第１の実施例と同様に、シューズの着地時にソール構造体１に衝撃荷重が作用すると、図５（ｂ）に示すように、第１、第２のＣ字状部３、４の各下凸状湾曲面３０、４０がそれぞれ扁平となるように圧縮変形するとともに、斜上凸状湾曲面３１、４１が扁平または平坦となるように、あるいは斜め下凸状に湾曲するように圧縮変形し、さらに、前後凸状湾曲面３２、４２がより湾曲するように（つまり屈曲度合いを増すように）圧縮変形する。これにより、各Ｃ字状部３、４のＣ字形状全体が扁平となるように容易に圧縮変形して、衝撃荷重が吸収されるとともに、クッション性が確保される。
【００７２】
しかも、この場合には、前記第１の実施例と同様に、第１、第２のＣ字状部３、４がそれぞれの開口端部を介して上部プレート２に固着されていることで、第１、第２のＣ字状部３、４が４個所の連結部分を介して上部プレート２に連結されているので、シューズの着地時には、接地面からの突上げ力が、これら４個所の連結部分を介して上部プレート２に伝播されることになり、その結果、着用者の足に対する突上げ力を緩和できる。
【００７３】
〔第３の実施例〕
図６は、本発明の第３の実施例によるソール構造体を示しており、同図（ａ）はソール構造体の側面概略図、（ｂ）はソール構造体の圧縮変形後の状態を示す図である。これらの図において、前記第１の実施例と同一符号は、同一または相当部分を示している。
【００７４】
この第３の実施例では、第１、第２のＣ字状部３、４の開口端部の位置が、図６（ａ）中の間隔ｌに示すように、上部プレート２に沿って均等に配置されている。この場合、各Ｃ字状部３、４と上部プレート２との連結部分の間隔ｌが上部プレート２に沿って均等に配置されるので、シューズの着地時には、接地面からの突上げ力が、これら４個所の連結部分を介して上部プレート２に均等に分配されて伝播されることになるので、着用者の足に対する不快な突上げ感をさらに低減できる。
【００７５】
〔第４の実施例〕
図７は、本発明の第４の実施例によるソール構造体を示しており、同図（ａ）はソール構造体の側面概略図、（ｂ）はソール構造体の圧縮変形後の状態を示す図である。これらの図において、前記第１の実施例と同一符号は、同一または相当部分を示している。
【００７６】
この第４の実施例では、図７（ａ）に示すように、連結部５が、第１、第２のＣ字状部３、４の前後方向の最突出点を結ぶ最突出ラインＬの上方に配置されている点が、前記第１ないし第３の実施例と異なっている。また、連結部５は、前記第１ないし第３の実施例における各連結部５と比べて湾曲の程度が増しており、上凸状の屈曲形状を有している。この場合、第１、第２のＣ字状部３、４からそれぞれ延びる連結部構成部分の互いになす角度が鋭角になっている。
【００７７】
この場合には、連結部５が最突出ラインＬの上方に配置されていることにより、各Ｃ字状部３、４の圧縮変形時に、各Ｃ字状部３、４の最突出ラインＬから上方部分の圧縮変形量が抑制されつつ、各Ｃ字状部３、４の最突出ラインＬから下方部分の圧縮変形が促進される。また、連結部５が上凸状の屈曲形状を有していることにより、各Ｃ字状部３、４の圧縮変形時には、図７（ｂ）に示すように、連結部５がより屈曲度合いを増すように屈曲変形する。これにより、ソール構造体全体の圧縮変形量をさらに増大でき、クッション性を向上できる。
【００７８】
〔第５の実施例〕
図８は、本発明の第５の実施例によるソール構造体を示しており、同図（ａ）はソール構造体の側面概略図、（ｂ）はソール構造体の圧縮変形後の状態を示す図である。これらの図において、前記第１の実施例と同一符号は、同一または相当部分を示している。
【００７９】
この第５の実施例では、連結部５の上方に形成された空隙５Ｃ内にクッション材５０が着脱自在に充填されている。クッション材５０は、空隙５Ｃのクッション性を制御するために設けられており、その材料としては、軟質または硬質の弾性材料が好ましく、例えばＥＶＡ等の樹脂の発泡体の他、ソリッドラバーやラバー素材の発泡体などが用いられる。また、クッション材５０を配置する位置としては、ソール構造体１の内甲側および（または）外甲側に設ける場合の他、幅方向全体にわたって設けるようにしてもよい。
【００８０】
この場合には、クッション材の弾性により、各Ｃ字状部３、４および連結部５の圧縮変形量を制御でき、クッション性を調整できる。
【００８１】
〔第６の実施例〕
図９および図１０は、本発明の第６の実施例によるシューズ用ソール構造体を説明するための図であって、図９はソール構造体の側面図、図１０（ａ）は図９のソール構造体の側面概略図、同図（ｂ）は（ａ）のソール構造体の圧縮変形後の状態を示す図である。なお、これらの図において、前記第１の実施例と同一符号は、同一または相当部分を示している。また、ここでは、ゴルフスパイクシューズを例にとって説明する。
【００８２】
この第６の実施例では、第１、第２のＣ字状部３、４の各下凸状湾曲面３０、４０の下部中央にクリーツ６が設けられている点が、前記第１の実施例と異なっている。また各Ｃ字状部３、４の各側縁部から巻上げ部２０ａに沿って上方に延びる延設部３ａ、４ａの形状が図１に示すものとは若干異なっている。
【００８３】
ここで、図示の簡略化のために、第１、第２のＣ字状部３、４から延設部３ａ、４ａを取り除いたものを図１０（ａ）に示す。同図に示すように、第１、第２のＣ字状部３、４は、開口部３Ａ、４Ａの下方に形成されかつ開口部３Ａ、４Ａと対向するとともに、下方に凸状に湾曲する下凸状湾曲面３０、４０と、下凸状湾曲面３０、４０から上部プレート２に向かって延びるとともに、斜め上方に凸状に湾曲する斜上凸状湾曲面３１，４１と、下凸状湾曲面３０、４０および斜上凸状湾曲面３１、４１の間に配設され、前後方向に向かって凸状に湾曲する前後凸状湾曲面３２、４２とをそれぞれ有している。
【００８４】
この場合、シューズの着地時において、クリーツ６が接地すると、図１０（ｂ）に示すように、クリーツ６を介して、第１、第２のＣ字状部３、４の下凸状湾曲面３０、４０が扁平となるように圧縮変形するとともに、斜上凸状湾曲面３１、４１が扁平または平坦となるように、あるいは斜め下凸状に湾曲するように圧縮変形し、さらに、前後凸状湾曲面３２、４２がより湾曲するように（つまり屈曲度合いを増すように）圧縮変形する。これにより、各Ｃ字状部３、４全体が扁平となるように圧縮変形して、衝撃荷重が吸収され、クッション性が確保される。
【００８５】
また、この場合には、第１、第２のＣ字状部３、４がそれぞれの開口端部を介して上部プレート２に固着されていることで、第１、第２のＣ字状部３、４が４個所の連結部分を介して上部プレート２に連結されている。これにより、シューズの着地時には、接地面からの突上げ力が、これら４個所の連結部分を介して上部プレート２に伝播されることになり、その結果、各クリーツ６から着用者の足への突上げ力を緩和できる。
【００８６】
〔第７の実施例〕
前記第６の実施例では、第１、第２のＣ字状部３、４の各下凸状湾曲面３０、４０の下部中央にクリーツ６が設けられた例を示したが、本発明の適用は、これに限定されない。
【００８７】
図１１は、本発明の第７の実施例によるシューズ用ソール構造体を説明するための図であって、図１１（ａ）はソール構造体の側面概略図、同図（ｂ）は（ａ）のソール構造体の圧縮変形後の状態を示す図である。なお、これらの図において、前記第６の実施例と同一符号は、同一または相当部分を示している。
【００８８】
この第７の実施例では、クリーツ６が連結部５の下部に設けられている。
【００８９】
この場合、シューズの着地時には、クリーツ６が接地した後、第１、第２のＣ字状部３、４の各下凸状湾曲面３０、４０が接地して、各Ｃ字状部３、４が扁平となるように圧縮変形する。すると、クリーツ６の接地前に、クリーツ６の各下状湾曲面３０、４０からの突出量がｄ１であったのが、各Ｃ字状部３、４の圧縮変形後は、クリーツ６の各下状湾曲面３０、４０からの突出量はｄ１’（＞ｄ１）となって（図１１（ｂ）参照）、クリーツ突出量が増加する。これにより、クリーツ６によるグリップ力が増す。
【００９０】
その一方、各Ｃ字状部３、４の各下凸状湾曲面３０、４０が接地面から離れる際には、各下凸状湾曲面３０、４０が元の位置に戻ることにより、各下凸状湾曲面３０、４０からのクリーツ突出量が減少し、これにより、クリーツ６の接地面からの抜けが良くなる。
【００９１】
〔第８の実施例〕
前記第７の実施例では、クリーツ６が連結部５の下面に直接取り付けられた例を示したが、本発明の適用はこれに限定されない。
【００９２】
図１２は、本発明の第８の実施例によるシューズ用ソール構造体を説明するための図であって、図１２（ａ）はソール構造体の側面概略図、同図（ｂ）は（ａ）のソール構造体の圧縮変形後の状態を示す図である。なお、これらの図において、前記第７の実施例と同一符号は、同一または相当部分を示している。
【００９３】
この第８の実施例では、クリーツ６が台座６０を介して連結部５の下面に取り付けられている。
【００９４】
この場合には、クリーツ６が取り付けられた連結部５の剛性が増すことで、連結部５の上下方向の変形を抑制できるので、接地面に対するクリーツ６のトラクションを効果的に発揮させることができる。また、この場合、接地面に対するクリーツ６の突刺し量を台座の上下位置によって調整できる。
【００９５】
〔他の実施例１〕
前記各実施例では、上部プレート２、第１および第２のＣ字状部３、４、および連結部５を樹脂により一体成形した例を示したが、本発明はこれには限定されない。例えば、各Ｃ字状部３、４および連結部５を樹脂で一体成形するとともに、これとは別工程で成形された上部プレート２を用意し、各Ｃ字状部３、４および連結部５の一体成形品を上部プレート２に接着材で接着するようにしてもよい。
【００９６】
〔他の実施例２〕
前記各実施例では、ソール構造体として２つのＣ字状部が設けられた例を示したが、本発明は、３つ以上のＣ字状部を有するものにも同様に適用可能である。この場合、前後方向に隣り合う各Ｃ字状部は同様に連結部を介して連結されている。
【００９７】
〔他の実施例３〕
前記各実施例では、連結部５が上凸状の湾曲形状または屈曲形状を有している場合を例にとって説明したが、本発明は、連結部が平坦形状を有している場合にも適用可能である。
【００９８】
この場合においても、シューズの着地時には、第１、第２のＣ字状部３、４の各下凸状湾曲面３０、４０が扁平となるように圧縮変形するとともに、各斜上凸状湾曲面３１、４１が扁平または平坦となるように、あるいは上凸状に湾曲するように圧縮変形し得るので、各Ｃ字状部３、４の圧縮変形が容易になって、クッション性を向上できる。
【００９９】
〔他の実施例４〕
前記各実施例では、上部プレートの踵部にＣ字状部を設けることにより、踵部の圧縮変形を容易にして踵部のクッション性を向上させるとともに、接地面から踵部への突上げ力を緩和した例を示したが、本発明の適用はこれに限定されない。
【０１００】
上部プレートをシューズの中足部まで、または中足部をへて前足部まで延設するとともに、上部プレートの中足部または（および）前足部にＣ字状部を設けるようにしてもよい。
【０１０１】
これらの場合には、中足部や前足部の圧縮変形を容易にして中足部や前足部のクッション性を向上できるとともに、接地面から中足部や前足部への突上げ力を緩和できる。
【０１０２】
〔適用例〕
前記実施例では、ゴルフシューズを例にとって説明したが、本発明によるソール構造体は、ランニングシューズやその他のスポーツシューズ（クリーツシューズ含む）にも適用可能である。
【図面の簡単な説明】
【０１０３】
【図１】本発明の第１の実施例によるソール構造体の側面図である。
【図２】図１のII-II線断面図である。
【図３】図１のIII-III線断面図である。
【図４】（ａ）は図１のソール構造体の側面概略図、（ｂ）は（ａ）のソール構造体の圧縮変形後の状態を示す図である。
【図５】（ａ）は本発明の第２の実施例によるソール構造体の側面概略図、（ｂ）は（ａ）のソール構造体の圧縮変形後の状態を示す図である。
【図６】（ａ）は本発明の第３の実施例によるソール構造体の側面概略図、（ｂ）は（ａ）のソール構造体の圧縮変形後の状態を示す図である。
【図７】（ａ）は本発明の第４の実施例によるソール構造体の側面概略図、（ｂ）は（ａ）のソール構造体の圧縮変形後の状態を示す図である。
【図８】（ａ）は本発明の第５の実施例によるソール構造体の側面概略図、（ｂ）は（ａ）のソール構造体の圧縮変形後の状態を示す図である。
【図９】本発明の第６の実施例によるソール構造体の側面図である。
【図１０】（ａ）は図９のソール構造体の側面概略図、（ｂ）は（ａ）のソール構造体の圧縮変形後の状態を示す図である。
【図１１】（ａ）は本発明の第７の実施例によるソール構造体の側面概略図、（ｂ）は（ａ）のソール構造体の圧縮変形後の状態を示す図である。
【図１２】（ａ）は本発明の第８の実施例によるソール構造体の側面概略図、（ｂ）は（ａ）のソール構造体の圧縮変形後の状態を示す図である。
【符号の説明】
【０１０４】
１：  ソール構造体
２：  上部プレート
２０ａ：  巻上げ部
３：  第１のＣ字状部
３Ａ：  開口部
３０：  下凸状湾曲面
３１：  斜上凸状湾曲面
３２：  前後凸状湾曲面
４：  第２のＣ字状部
４Ａ：  開口部
４０：  下凸状湾曲面
４１：  斜上凸状湾曲面
４２：  前後凸状湾曲面
５：  連結部
５Ｃ：  空隙
５０：  クッション材
６：  クリーツ
６０：  台座
Ｌ：  最突出ライン
ｌ：  間隔
【要約】
【課題】  シューズ用ソール構造体において、圧縮変形を容易にしてクッション性を向上させるとともに、接地面からの突上げ力を緩和させる。
【解決手段】  シューズのソール構造体１において、上方に配置され、踵部を有する上部プレート２と、上部プレート２の下方において、前後方向に並設されるとともに、各々上方に開口部３Ａ、４Ａを備えた前後方向に扁平な略Ｃ字形状を有し、その開口端部が上部プレート２にそれぞれ直接固着された第１、第２のＣ字状部３、４と、第１、第２のＣ字状部３、４間に配設され、各Ｃ字状部３、４を連結する連結部５とを設ける。各Ｃ字状部３、４が、下方に凸状に湾曲する下凸状湾曲面３０、４０と、下凸状湾曲面３０、４０から上部プレート２に向かって延びかつ斜め上方に凸状に湾曲する斜上凸状湾曲面３１、４１とをそれぞれ有している。
【選択図】  図４【図１】
0004317893.tif 000002
【図２】
0004317893.tif 000003
【図３】
0004317893.tif 000004
【図４】
0004317893.tif 000005
【図５】
0004317893.tif 000006
【図６】
0004317893.tif 000007
【図７】
0004317893.tif 000008
【図８】
0004317893.tif 000009
【図９】
0004317893.tif 000010
【図１０】
0004317893.tif 000011
【図１１】
0004317893.tif 000012
【図１２】
0004317893.tif 000013